(57)【要約】【課題】排水管の内面に固形物等が存在する場合においても、円滑な進退動作を行なうことができ、効率的に洗浄作業を行うことができる排水管洗浄装置を提供する。【解決手段】前記ホースから高圧の洗浄水が供給される軸管１と、前記軸管の先端部に取り付けられ、前記洗浄水を高圧噴射するノズルヘッド５と、前記軸管の後端部に形成された、前記ホースを接続するホース接続部２と、前記軸管に回転可能に取り付けられた二つの円環状部材６と、前記一の円環状部材に一端部が固定され、前記円環状部材から軸管の径方向外側に延設されると共に軸管の軸線方向に延設され、軸管の径方向内側に延設され、他の円環状部材に他の端部が固定された複数の支持部材４とを備え、前記支持部材４によって前記円環状部材６を連結すると共に前記ノズルヘッド５及び軸管１を支持する。【選択図】      図１
2005007350.tif 000002
【特許請求の範囲】
【請求項１】
洗浄水供給装置からホースを介して高圧の洗浄水の供給を受け、排水管内を洗浄する排水管洗浄装置であって、
前記ホースから高圧の洗浄水が供給される軸管と、前記軸管の先端部に取り付けられ、前記洗浄水を高圧噴射するノズルヘッドと、前記軸管の後端部に形成された、前記ホースを接続するホース接続部と、前記軸管に回転可能に取り付けられた二つの円環状部材と、前記一の円環状部材に一端部が固定され、前記円環状部材から軸管の径方向外側に延設されると共に軸管の軸線方向に延設され、軸管の径方向内側に延設され、他の円環状部材に他の端部が固定された複数の支持部材とを備え、
前記支持部材によって前記円環状部材を連結すると共に前記ノズルヘッド及び軸管を支持することを特徴とする排水管洗浄装置。
【請求項２】
前記支持部材の間にケーブルを配し、前記ケーブルを前記支持部材の側方に案内することを特徴とする請求項１に記載された排水管洗浄装置。
【請求項３】
前記支持部材によって、前記ホース接続部側よりも前記ノズルヘッド側の方が高い位置に置かれることを特徴とする請求項１または請求項２に記載された排水管洗浄装置。
【請求項４】
前記支持部材が、前記円環状部材に対して、放射状に設けられていることを特徴とする請求項１乃至請求３のいずれかに記載された排水管洗浄装置。
【請求項５】
前記ホース接続部と前記円環状部材との間に、重心を調整する錘部材がさらに取り付けられていることを特徴とする請求項１乃至請求項４のいずれかに記載された排水管洗浄装置。
【発明の詳細な説明】
【０００１】
【発明の属する技術分野】
本発明は、排水管内面を洗浄する排水管洗浄装置に関し、例えば、通信ケーブル等のケーブルが敷設された排水管内面の洗浄に適した排水管洗浄装置に関する。
【０００２】
【従来の技術】
下水管等の排水管内を洗浄する際、ホース先端に取り付けたノズルから高圧の洗浄水を噴射し、前記ノズルを排水管内周面に沿って進退動作させながら排水管内の洗浄を行なう装置が、一般的に用いられている。
このような排水管内洗浄装置を用いることによって、通常、高圧の洗浄水によって排水管の内周面全体を効率的に洗浄することができる。
【０００３】
ところが近年、通信事情の変化に伴い、例えば光ファイバーケーブル等の通信ケーブルが排水管等の中に敷設されることが多くなっている。
そのため、前記した洗浄装置を用いて洗浄を行う場合、ノズル部分が通信ケーブルに干渉し、ノズル部分およびホースの進退移動に支障を来たし、あるいは、ノズル部分との接触によって通信ケーブルが損傷を受ける等の虞があった。
【０００４】
このような問題に対し、特許文献１（特開２００２−４５８１３号）には、排水管内に配設された通信ケーブル等に損傷を与えることなく、排水管内を洗浄できる排水管洗浄装置が示されている。
この特許文献１に示される排水管洗浄装置について図７に基づいて説明する。尚、図７（ａ）に、前記ノズル部の平面図を、図７（ｂ）に、排水管内における前記ノズル部の正面図を示す。
【０００５】
この排水管洗浄装置は、高圧の洗浄水を供給する洗浄水供給装置（図示せず）と、前記洗浄水供給装置から供給された洗浄水を噴射し、排水管内を洗浄するノズル部とから構成されている。
このノズル部５０は、図７（ａ）に示すように、前記洗浄水供給装置から伸ばされたホース６０の先端部が接続され、二又状の分岐路を有する高圧ブロック５１と、この高圧ブロック５１に取り付けられた２つのノズルヘッド５２、５３と、前記高圧ブロック５１部分を固着した台車５４とで構成される。
【０００６】
また、前記台車５４は、４つのガイドローラ５５を備え、図７（ｂ）に示すように排水管４０の内壁面４０ａに前記ガイドローラ５５のみが接触するように構成されている。
更に、前記ノズルヘッド５２、５３は、高圧水を噴射するように構成されている。即ち、図７（ｂ）に示すように、排水管４０内に通信ケーブル４５が敷設されていても、ノズルヘッド５２、５３等が前記通信ケーブル４５に干渉することなく、ノズルヘッド５２、５３から噴射される高圧水によって、排水管４０内を洗浄するように構成されている。
【０００７】
このように、特許文献１に記載された発明にあっては、ガイドローラ５５によって進退移動がスムーズに行なえるように構成されている。
また、左右の車輪幅を可変できる構造であるため、排水管４０の内径が変化しても、対応できるよう構成されている。
【０００８】
【特許文献１】
特開２００２−４５８１３号公報（第４頁左欄第１３行乃至第５頁左欄第３９行、第２図、第４図）
【０００９】
【発明が解決しようとする課題】
ところで、排水管４０は、図８（ａ）（ｂ）に示すように複数の排水管４１，４２を接続して形成されている。そのため、排水管４１，４２を接続するために用いられたモルタル等の接着剤が排水管４０の内面に突出して固化し、固形物４３となる場合がある。また、排水管４０を流れる汚物が固形物４３となる場合がある。
このように、排水管４０の内面に固形物が存在すると、ガイドローラ５５を用いる前記洗浄装置５０にあっては、円滑な進退移動が行なえないという課題があった。
【００１０】
また、光ファイバーケーブル等の通信ケーブルが、排水管等に敷設される場合に、通信ケーブルの径が大きくなると、高圧ブロック５１部分が通信ケーブルと衝突し、傷をつける虞があった。
更に、光ファイバーケーブル等の通信ケーブルは、常に排水管等の内底部に敷設されているとは限られず、排水管の内側面部に敷設されている場合がある。このように、排水管の内側面部に通信ケーブルが敷設されている場合には、ガイドローラ５５による進退移動を行なうことができないため、前記排水管洗浄装置は使用できなかった。
【００１１】
更にまた、排水管等の洗浄の際、ゴミ等の汚物が前記ガイドローラ５５の車軸に引っ掛かり、ノズル部５０の進退移動がスムーズに行なえなくなる虞がある。加えて、排水管等の管径に合わせて、その都度、左右の車輪幅を調整しなければならないため、作業が面倒になるという課題があった。特に、車輪幅の調整範囲が限定されるため、洗浄できる排水管等の管径の制限があった。
また、前記ノズル部５０は、２つのノズルヘッド５２、５３、４つのガイドローラ５５を具備し、部品点数が多いため、コスト高になり、メンテナンス面でも容易ではないという課題もあった。
【００１２】
本発明は、前記したような事情の下になされたものであり、排水管の内面に固形物等が存在する場合においても、円滑な進退動作を行なうことができ、効率的に洗浄作業を行うことができる排水管洗浄装置を提供することを第一の目的とする。
また、本発明は、前記したような事情の下になされたものであり、排水管に通信ケーブル等のケーブルが敷設されている場合においても、ケーブルが敷設されている場所、排水管径寸法、ケーブル径によらず、ケーブルを傷付けずに効果的に排水管内を洗浄することのできる排水管洗浄装置を提供することを第二の目的とする。
更には、本発明は、前記したような事情の下になされたものでありメンテナンスが容易な排水管洗浄装置を提供することを第三の目的とする。
【００１３】
【課題を解決するための手段】
上記課題を解決するために、本発明にかかる排水管洗浄装置は、洗浄水供給装置からホースを介して高圧の洗浄水の供給を受け、排水管内を洗浄する排水管洗浄装置であって、前記ホースから高圧の洗浄水が供給される軸管と、前記軸管の先端部に取り付けられ、前記洗浄水を高圧噴射するノズルヘッドと、前記軸管の後端部に形成された、前記ホースを接続するホース接続部と、前記軸管に回転可能に取り付けられた二つの円環状部材と、前記一の円環状部材に一端部が固定され、前記円環状部材から軸管の径方向外側に延設されると共に軸管の軸線方向に延設され、軸管の径方向内側に延設され、他の円環状部材に他の端部が固定された複数の支持部材とを備え、前記支持部材によって前記円環状部材を連結すると共に前記ノズルヘッド及び軸管を支持することを特徴としている。
【００１４】
このように、支持部材によって前記円環状部材を連結すると共に前記ノズルヘッド及び軸管を支持している。したがって、下水管等の排水管の内面に固形物が形成されていても、支持部材が固形物を乗り越えるため、ノズルヘッドの進退移動をスムーズに行うことができる。
また、排水管等の管径に合わせて、その都度、左右の車輪幅を調整する必要がなく、あらゆる管径の排水管を容易に洗浄することができる。
更に、前記したように簡単な構成を採用しているため、部品点数が少なく、安価に製作でき、メンテナンスを容易に行なうことができる。
加えて、支持部材は円環状部材に取り付けられているため、軸管が支持部材に対して回転する。その結果、ホースの捩じれを防止でき、円滑な洗浄作業を行うことができる。
【００１５】
ここで、前記支持部材の間にケーブルを配し、前記ケーブルを前記支持部材の側方に案内することが望ましい。このように、排水管内において排水管洗浄装置を進退動作させる際に、前記支持部材がケーブルを支持部材の側方に案内するため、ノズルヘッドがケーブルに接触することが無く、前記ケーブルを傷付けずに排水管内を洗浄することができる。
【００１６】
また、前記支持部材によって、前記ホース接続部側よりも前記ノズルヘッド側の方が高い位置に置かれることが望ましい。
このように構成することにより、排水管洗浄装置を下水管等の排水管内に載置したときに、ノズルヘッドの先端が高い位置に置かれるため、ケーブルとの接触を防止ことができる。
【００１７】
なお、前記支持部材が、前記円環状部材に対して、放射状に設けられていることが望ましい。このように支持部材が放射状に設けられているため、排水管洗浄装置を下水管等の排水管内に置くことによって、ケーブルをいずれかの支持部材間に配することができ、ケーブルを支持部材の側方に案内することができる。
【００１８】
また、前記ホース接続部と前記円環状部材との間に、重心を調整する錘部材がさらに取り付けられていることが望ましい。
このように構成し、排水管洗浄装置の重心を前記錘部材側にすることにより、ノズルヘッドが下方に傾いて、排水管内壁面やケーブルに接触し、これらを傷付けるのを防止できる。
【００１９】
【発明の実施の形態】
以下、この発明に係る排水管洗浄装置について、図１乃至図６に示す実施形態に基づき説明する。ここで、図１は、本発明に係る排水管洗浄装置の側面図であり、図２は、図１の正面図である。また、図３は本発明に係る排水管洗浄装置の使用状況を説明するための全体構成図であり、図４は排水管内に導入された排水管洗浄装置の側面図である。そして、図５は図４の排水管洗浄装置の正面図であり、図６は、その平面図である。なお、この一実施形態は、排水管の内部底面に通信ケーブルが敷設されている場合について説明する。
【００２０】
図１に示すように、この排水管洗浄装置１００は、図示しないホースから供給される高圧の洗浄水が供給される軸管１と、前記ホースと軸管１とを接続するホース接続部２と、前記軸管１の先端部に取り付けられ、前記洗浄水を高圧噴射するノズルヘッド５とを備えている。
【００２１】
また、前記軸管１に回転可能に取り付けられた二つの円環状部材６と、前記ノズルヘッド５及び軸管１を支持し、通信ケーブル等のケーブル１５を側方に案内する支持部材４とを備えている。
この支持部材４は、前記円環状部材６に一端部が固定され、前記円環状部材６から軸管１の径方向外側に延設される第一の延設部４ａと、軸管１の軸線方向に延設される第二の延設部４ｂと、軸管１の径方向内側に延設され端部が固定される第三の延設部４ｃとが形成されている。
【００２２】
更に詳述すると、前記第一の延設部４ａは、円環状部材６から軸管１の径方向外側であって、後方（ホース接続部２側）に延設されている。このように支持部材４の先端部側が、いわゆるそりの先端部のように傾斜して形成されているため、排水管洗浄装置１００が進む際、固形物を容易に乗り越えることができる。
また、前記第二の延設部４ｂは、軸管１の軸線方向に、軸管との距離を徐々に縮めるように延設されている。
そして、第三の延設部４ｃは、軸管１の径方向内側であって、後方（ホース接続部２側）に延設され、端部が円環状部材６に固定されている。このように支持部材４の後端部側が、いわゆるそりの先端部のように傾斜して形成されているため、排水管洗浄装置１００が後退する際、固形物を容易に乗り越えることができる。
【００２３】
前記支持部材４が前記したように形成されているため、図１に示すように、この支持部材４の軸管１に対し直交方向（径方向）の高さ寸法は、前記ホース接続部側の高さｈ２よりも前記ノズルヘッド側の高さｈ１の方が大きくなる。
これにより、排水管洗浄装置１００を排水管内に載置した際に、ノズルヘッド５が通信ケーブル１５に接触するのを防止している。
【００２４】
前記支持部材４は、図２に示すように、放射状に設けられた６個の支持部材４を備えている。
この支持部材４は棒材により形成され、前記したように第一、第二、第三の延設部４ａ，４ｂ，４ｃから構成され、その軸管１の軸線方向に沿って通信ケーブル１５を支持部材４の間に配し、前記ケーブルを前記支持部材４の側方に案内するように構成されている。
その結果、排水管洗浄装置１００がケーブル１５に乗り上げ、あるいはまたノズルヘッド５、錘部材３等がケーブル１５に接触するのを防止している。
【００２５】
また、前記支持部材４は、前記したように、軸管１に回転可能に取り付けられた二つの円環状部材に固定されている。これにより、例えば排水管洗浄装置１００に接続されたホースが捩じれ場合にも、軸管１が回転し、ホースの捩れが除去される。即ち、ホースの捩じれに起因する負荷が作用した場合であっても、軸管１およびノズルヘッド５が回転することにより、支持部材４は回転することはなく、安定して軸管１およびノズルヘッド５を支持する。
【００２６】
特に、排水管内に敷設された通信ケーブルが蛇行して敷設されている場合には、排水管洗浄装置１００は前記通信ケーブルに沿って進退移動するため、前記ホースに負荷が加わり、捩じれが発生し易い。このような場合においても、前記支持部材４は前記構成により回転せず、通信ケーブルを支持部材４の側方に位置する。
【００２７】
また、前記ホース接続部２と前記ガイド部４との間の軸管１には、略円盤形状の錘部材３が設けられている。
この錘部材３は、排水管洗浄装置１００の重心をこの錘部材３側に移すために設けられている。この錘部材３は、高圧噴射により排水管洗浄装置１００が遊動するのを抑制すると共に、ノズルヘッド５が下方向に傾いて排水管内面や通信ケーブル１５に接触するのを防止するためのものである。
即ち、この錘部材３は前記支持部材４の形状による効果と組み合わせることにより、通信ケーブル１５等の損傷をより防止できる。
【００２８】
また、前記ノズルヘッド５には、前記軸管１側に複数の噴射口５ａが円状に形成されている。この複数の噴射口５ａによって、高圧の洗浄水は末広がりの円錐状となってホース接続側に噴射される。
【００２９】
続いて、前記した構造の排水管洗浄装置１００を用いた排水管内洗浄作業について、図３乃至図６に基づき説明する。
図３に示すように、前記排水管洗浄装置１００を用いる場合、現場において作業者は先ず、高圧の洗浄水を供給する高圧洗浄車（洗浄水供給装置）１０が装備するホース１１の先端を、排水管洗浄装置１００のホース接続部２に接続する。
【００３０】
そして、マンホール１３等から、通信ケーブル１５が敷設された排水管１４内に前記排水管洗浄装置１００を挿入する。このとき作業者は、図５に示すように、排水管洗浄装置１００を通信ケーブル１５の側方に設置する。即ち、支持部材４の間にケーブルが位置するように配置する。
次いで、高圧洗浄車１０の操作部１２を操作して、排水管洗浄装置１００（ノズルヘッド５）から高圧の洗浄水をホース接続側に噴射する。そして、この排水管洗浄装置１００を進退動作させることにより、排水管１４内の洗浄を行なう。
【００３１】
このとき、図４および図５に示すように、支持部材４は、通信ケーブル１５を支持部材４の側方に案内する。
即ち、排水管洗浄装置１００の進退動作を行なっても、排水管洗浄装置１００は通信ケーブル１５と衝突することなく、通信ケーブル１５に沿って進退する。また、ノズルヘッド５の先端は高い位置にあるため、ノズルヘッド５が通信ケーブル１５に接触して損傷を与えることもない。
【００３２】
また、図６の平面図に示すように、通信ケーブル１５が多少蛇行して敷設されている場合においても、前記した排水管洗浄装置１００の構成により、支持部材４が通信ケーブル１５の側方に沿った状態で、排水管洗浄装置１００は進退移動する。
このとき、蛇行した通信ケーブル１５から受ける負荷によってホース１１には捩じれが生じ易くなる。ここで、ホース１１に捩れが生じた場合であっても、前記捩れに起因する負荷により、軸管１およびノズルヘッド５が軸管１の軸線周りに回転するため、排水管洗浄装置１００全体が回転することはない。
このように、通信ケーブル１５が多少蛇行して敷設されている場合においても、ホースの捩れが除去されるため、排水管洗浄装置１００全体が不用意に回転することによる、通信ケーブル１５の損傷を防止できる。
【００３３】
以上説明した本発明の実施形態によれば、支持部材４が通信ケーブル１５を支持部材４の側方に案内するため、ノズルヘッド５が通信ケーブル１５に接触することが無く、通信ケーブル１５を傷付けずに排水管１４内を洗浄することができる。また、排水管の内面に固形物が形成されている場合にも、支障なく用いることができる。
【００３４】
また、前記支持部材４と錘部材３とによって、排水管洗浄装置１００の重心を前記錘部材３側にすることにより、安定してノズルヘッド５を支持できる。その結果、通信ケーブル１５にノズルヘッド５が衝突するのを防止できる。
【００３５】
更に、前記支持部材４は、軸管１の軸線方向に回転自在に取り付けられているため、ホース１１が捩じれたときにホースからの負荷を除去できる。
その結果、排水管洗浄装置１００全体が不用意に回転することが無く、ノズルヘッド５、錘部材３が通信ケーブル１５に接触することがなく、通信ケーブル１５の損傷を防止できる。
【００３６】
加えて、前記排水管洗浄装置１００は、ローラ等を用いない構造であるため、メンテナンスが容易であり、その進退方向に対しては抵抗が少ない構造であるため、排水管のゴミ等が引っ掛かり、作業に支障をきたすことがない。また、構成部品が少なく、単純な構成であるためコスト高になることもない。
更に加えて、前記排水管洗浄装置１００は、どのような排水管１４の管径であっても調整不要で使用することができ、排水管の管径によらず作業を容易に行なうことができる。
【００３７】
また、上記実施形態にあっては、通信ケーブルが敷設された排水管を例にとって説明したが、本発明にかかる排水管洗浄装置は、当然に通信ケーブル等のケーブルが敷設されていない下水管等の排水管の洗浄にも適用することができる。
特に、固形物が内面に付着した排水管の洗浄においても、排水管洗浄装置を円滑に進退させることができるため、固形物が付着した排水管の洗浄にも好適に用いることができる。
【００３８】
なお、前記した実施の形態において、支持部材４の支持部材４ａは６個の構成としたが、本発明に係る排水管洗浄装置の構成はこれに限るものではない。また、上記実施形態にあっては、通信ケーブルを例にとって説明したが、本発明は特にこれに限定されるものではなく、他のケーブルが敷設されている場合にも、同様に用いることができる。
【００３９】
【発明の効果】
以上の説明で明らかなとおり、本発明によれば、排水管の内面に固形物等が存在する場合においても、円滑な進退動作を行なうことができ、効率的に洗浄作業を行うことができる排水管洗浄装置を得ることができる。
また、本発明によれば、排水管に通信ケーブル等のケーブルが敷設されている場合においても、ケーブルが敷設されている場所、排水管径寸法、通信ケーブル径によらず、通信ケーブルを傷付けずに効果的に排水管内を洗浄することのできる排水管洗浄装置を得ることができる。
更には、本発明によれば、メンテナンスが容易な排水管洗浄装置を得ることができる。
【図面の簡単な説明】
【図１】図１は、本発明に係る排水管洗浄装置の一実施形態の側面図である。
【図２】図２は、図１の排水管洗浄装置の正面図である。
【図３】図３は、図１に示した排水管洗浄装置の使用状態を示す全体構成図である。
【図４】図４は、排水管内に導入された排水管洗浄装置の側面図である。
【図５】図５は、図４の排水管洗浄装置の正面図である。
【図６】図６は、図４の排水管洗浄装置の平面図である。
【図７】図７は、従来の排水管洗浄装置の平面図および正面図である。
【図８】図８は、排水管の内面に付着した固形物の状況を示す図であって、（ａ）が排水管の外観側面図、（ｂ）が正面図である。
【符号の説明】
１        軸管
２        ホース接続部
３        錘部材
４        支持部材
４ａ      第一の延設部
４ｂ      第二の延設部
４ｃ      第三の延設部
５        ノズルヘッド
５ａ      噴射口
６        円環状部材
１０      高圧洗浄車（洗浄水供給装置）
１１      ホース
１２      操作部
１３      マンホール
１４      排水管
１５      通信ケーブル
【図１】
2005007350.tif 000003
【図２】
2005007350.tif 000004
【図３】
2005007350.tif 000005
【図４】
2005007350.tif 000006
【図５】
2005007350.tif 000007
【図６】
2005007350.tif 000008
【図７】
2005007350.tif 000009
【図８】
2005007350.tif 000010